(57)【要約】【課題】  本発明は、セルラー・ホンまたは個人用携帯情報端末を含むポータブル装置のためのデュアル汎用集積回路カード（ＵＩＣＣ）システムを提供する。【解決手段】  本発明は、第１集積回路（ＩＣ）を含むスレーブ集積回路（ＩＣ）カードを含む。基板は第２集積回路（ＩＣ）と接点インターフェースを含むマスター集積回路（ＩＣ）カードを支えている。接点インターフェースは第１及び第２集積回路（ＩＣ）に結合される。アンテナは情報を伝送するために第２集積回路（ＩＣ）に結合される。【選択図】  図１
2006217586.tif 000002
【特許請求の範囲】
【請求項１】
ポータブル装置のためのデュアル汎用集積回路カード（ＵＩＣＣ）システムにおいて、
第１集積回路（ＩＣ） 及びオープニング（opening）を含むスレーブ集積回路（ＩＣ）カードと、
第２集積回路（ＩＣ）、及び前記の第２集積回路（ＩＣ）に接続された接点
インターフェースを含むマスター集積回路（ＩＣ）カードと、
を含み、前記の接点インターフェースが前記の第1集積回路(IC)に接触し、前記のオープニングが前記の第2集積回路(IC)を受容することを特徴とするデュアル汎用集積回路カード（ＵＩＣＣ）システム。
【請求項２】
前記の第１集積回路（ＩＣ）は、ＳＩＭ（加入者の識別モジュール）、ＵＳＩＭ、ＵＩＭまたはＲＵＩＭであることを特徴とする請求項１に記載のデュアル汎用集積回路カード（ＵＩＣＣ） システム。
【請求項３】
前記の第２集積回路（ＩＣ）は、ＳＩＭ（加入者の識別モジュール）、 ＵＳＩＭ、ＵＩＭまたはＲＵＩＭであることを特徴とする請求項１に記載のデュアル汎用集積回路カード（ＵＩＣＣ）システム。
【請求項４】
前記の第２集積回路（ＩＣ）は、制御集積回路（ＩＣ）であることを特徴とする
請求項１に記載のデュアル汎用集積回路カード（ＳＩＭ）システム。
【請求項５】
前記の第２集積回路（ＩＣ）は、メモリであることを特徴とする請求項１に記載のデュアル汎用集積回路カード（ＵＩＣＣ）システム。
【請求項６】
前記の第２集積回路（ＩＣ）は、前記の第１または第２集積回路（ＩＣ）を制御するために前記のポータブル装置のコントローラに結合されることを特徴とする 請求項１に記載のデュアル汎用集積回路カード（ＵＩＣＣ）システム。
【請求項７】
前記のポータブル装置は、セルラー・ホンまたは個人用携帯情報端末であることを特徴とする請求項１に記載のデュアル汎用集積回路カード（ＵＩＣＣ）システム。
【請求項８】
情報を伝送するために前記の第２集積回路（ＩＣ）に結合されたアンテナを更に含むことを特徴とする請求項１に記載のデュアル汎用集積回路カード（ＵＩＣＣ）システム。
【請求項９】
ポータブル装置のためのデュアル汎用集積回路カード（ＵＩＣＣ）システムにおいて、
第１の多数の入出力ターミナルを持つ第１集積回路（ＩＣ）
及びオープニングを含むスレーブ集積回路（ＩＣ）カードと、
前記のスレーブ集積回路（ＩＣ）カードに接続され, 多数の入出力接点及び第2集積回路(IC)を含むマスター集積回路（ＩＣ）カードを含み、
前記の第２集積回路（ＩＣ）は第２の多数の入出力ターミナルを含み、
前記の多数の入出力接点は前記の第１及び第２の多数の入出力ターミナルにそれぞれ 接触し、前記のオープニングが前記の第2集積回路(IC)を受容すること、
を特徴とするデュアル汎用集積回路カード（ＵＩＣＣ）システム。
【請求項１０】
前記の第１集積回路（ＩＣ）は、ＳＩＭ（加入者の識別モジュール）,
USIM、UIM、またはRUIM であることを特徴とする請求項９に記載のデュアル汎用集積回路カード（ＵＩＣＣ）システム。
【請求項１１】
前記の第２集積回路（ＩＣ）は、制御集積回路（ＩＣ）であることを特徴とする
請求項９に記載のデュアル汎用集積回路カード（ＵＩＣＣ）システム。
【請求項１２】
前記の第２集積回路（ＩＣ）は、ＳＩＭ（加入者の識別モジュール）,
USIM、UIM、またはRUIM であることを特徴とする請求項９に記載のデュアル汎用集積回路カード（ＵＩＣＣ）システム。
【請求項１３】
前記の第２集積回路（ＩＣ）は、メモリであることを特徴とする請求項９に記載のデュアル汎用集積回路カード（ＵＩＣＣ）システム。
【請求項１４】
前記のメモリは、ＥＥＰＲＯＭであることを特徴とする請求項１3に記載のデュアル汎用集積回路カード（ＵＩＣＣ）システム。
【請求項１５】
前記の 第2集積回路(IC)は、前記の第1、または第2集積回路(IC)を制御するために前記のポータブル装置のコントローラに結合されることを特徴とする請求項９に記載のデュアル汎用集積回路カード（ＵＩＣＣ）システム。
【請求項１６】
前記のポータブル装置は、セルラー・ホンまたは個人用デジタル装置であることを特徴とする請求項９に記載のデュアル汎用集積回路カード（ＵＩＣＣ）システム。
【請求項１７】
前記の第２の多数の入出力ターミナルは、移動式電話サービスシステムと前記のマスター集積回路（ＩＣ）カードの間で通信するために使われることを特徴とする請求項９に記載のデュアル汎用集積回路カード（ＵＩＣＣ）システム。
【請求項１８】
前記の第２の多数の入出力ターミナルは、コンタクトレス・トランザクション・サービス・システムと前記のマスター集積回路（ＩＣ）カードとの間で通信するために使われることを特徴とする請求項９に記載のデュアル汎用集積回路カード（ＵＩＣＣ）システム。
【請求項１９】
情報を伝送するために、前記の第２集積回路（ＩＣ）に結合されたアンテナを更に含むことを特徴とする請求項９に記載のデュアル汎用集積回路カード（ＵＩＣＣ）システム。
【発明の詳細な説明】
【技術分野】
【０００１】
本発明は、加入者の識別モジュール（ＳＩＭ）に関し、特にコンタクトレスのアプリケーションのためにアンテナを結合することができるＳＩＭに関する。
【背景技術】
【０００２】
電気通信ネットワークは、ネットワーク加入者たちに種々のサービスを提供するために確立された。電気通信ネットワークにより提供される、広く使われて、よく知られたサービスは、セルラー・ホンのような移動式電話サービスである。特別な回路を含む表面接触カードは、電子装置の機能を改良するために電子装置で広く使われている。例えば、加入者識別モジュール（ＳＩＭ）カードは、電話の機能をＳＩＭカードの所有者に専用させるためにポータブル電話内に配置される。ＳＩＭカードを交換することで、一つの電話を個人用電話として多くのＳＩＭカードの所有者が使うことができる。
【０００３】
他の電気通信ネットワークは、銀行業務及び取り引き機能を含むサービスを提供する。安全な伝送を提供するための一つの方式はセルラー・ホンに結合されるとか、分離することができる加入者識別モジュール（“ＳＩＭ”）を使うことである。ＳＩＭの内に格納された資料は、電話でネットワークサービスへのアクセスを制御する。ＳＩＭの最近のバージョンは、JAVA（登録商標）のような高水準のコンピューター言語で書かれたプログラムの翻訳を含む。そのようなＳＩＭは、５.３.０バージョンの１９９６年７月１１日付けのGSM技術明細GSM１１中にヨーロッパ電気通信標準機構（ＥＴＳＩ）によって開示されている。これを参照として本明細書の引用とする。知られているように、ＳＩＭは移動式加入者識別（ＩＭＳＩ）、個々の加入者キー（Ｋｉ）、認証アルゴリズム、個人用識別番号（ＰＩＮ）及び他の永久的で、一時的な資料などを含む。
【０００４】
上述したように、ＳＩＭカードは、使用者が特定の国で個々のアカウント（account）または特別な無線電話網にアクセスすることを可能にするために通信装置にもっとも一般的に使われる。各ＳＩＭカードは、指定されたネットワークに対する構成情報を含み、かつ、使用者の移動式電話番号のような使用者識別情報を含む。識別またはメモリカードは、使用者―アクセス可能のインターフェースを介して移動式電話の本体の内に挿入することになるが、これは典型的に電話の分離可能なバッテリー・パックによってカバーされ、これと接触する表面のような、移動式電話ハウジングの表面またはその上に形成される。
【０００５】
電話に挿入する際、カードは移動式電話の内部の回路に電気的に接続し、したがって移動式電話が識別／メモリカードから情報へのアクセスが可能になる。ＳＩＭカードを保持するための従来のメカニズムは、絶縁材料からなるベース及びこのベースにピボット式で付着したカバーを含む。ベースは移動式電話の印刷回路基板（PCB）に設置され、多数のピン接点を含む。カバーは上向きで回転して開放位置になって、そして、ＳＩＭカードはカバーの反対側に備えられている受信みぞの内に挿入される。次に、カバーが下向きで回転して閉鎖位置になれば、ＳＩＭカードの接触パッドがベースの上のピン接点と電気的に接触する。
【０００６】
ポータブルの統合型電子カードは電子装置の形態によって、カードのエッジに対して予め選定された場所に配置されたチップを有する標準化された寸法で一般的に提供される。ＳＩＭカードは、通常、２つの大きさ、すなわちフルサイズまたはＩＳＯサイズのカードなどと極小、またはプラグ・イン・サイズのカードの中の１つのサイズで提供される。フルサイズのカードは、おおよそ標準クレジットカードのサイズである一方、プラグ・イン・サイズはおおよそ２５mmの長さ、１５ｍｍの巾、１ｍｍ未満の厚さである。移動式電話への挿入時にプラグ・イン・サイズのＳＩＭカードの正確なオリエンテーションを保障するために、カードの一エッジの長さが約２１ｍｍに減少され、隣接エッジの幅は約１２ｍｍに減少されるように、矩形カードの一つの角はななめに切られる。カードは正しい方向で角を付けたコーナーでのみ電話に挿入できる。
【発明の開示】
【発明が解決しようとする課題】
【０００７】
本発明は、コンタクトレスのトランザクション機能を持つデュアル汎用ＩＣカード（ＵＩＣＣ）システムの提供を目的とする。
【０００８】
本発明の他の目的は、移動式の銀行業務、移動式の株式取り引きなどのように、ポスト・イシューされた（post-issued）STK（ＳＩＭ
Tool Kit）アプリケーションを持つデュアル汎用ＩＣカード（ＵＩＣＣ）システムを提供することである。
【０００９】
また、本発明の他の目的は、ＳＩＭアプリケーションのための拡張メモリを持つデュアル汎用ＩＣカード（ＵＩＣＣ）システムを提供することである。
【００１０】
また、本発明の他の目的は、ＮＦＣ（Near Field
Communication）サービスを持つデュアル汎用ＩＣカード（ＵＩＣＣ）システムを提供することである。
【課題を解決するための手段】
【００１１】
前記の目的によれば、本発明はポータブル装置のためのデュアル汎用集積回路カード（ＵＩＣＣ）システムを開示することにおいて、前記のポータブル装置はセルラー・ホンまたは個人用の携帯情報端末（PDA）を含む。上記システムは第１集積回路（ＩＣ）を含むスレーブ集積回路（ＩＣ）カードを含む。基板は第２集積回路（ＩＣ）と接点インターフェースを含むマスター集積回路（ＩＣ）カードを支えるために使われる。接点インターフェースは第１及び第２集積回路（ＩＣ）に結合される。アンテナは情報を伝送するために第２集積回路（ＩＣ）に結合される。
【００１２】
アンテナが、基板から分離可能であるか、基板内に内蔵されて、ＳＩＭ、ＵＳＩＭ、ＵＩＭ及びＲＵＩＭ、その他の標準を含む汎用集積回路カード（ＵＩＣＣ）に適合する。
【００１３】
第１集積回路（ＩＣ）は、ＳＩＭ（加入者識別モジュール）である。第２集積回路（ＩＣ）は、制御集積回路（ＩＣ）、ＳＩＭ（加入者識別モジュール）またはメモリである。
【００１４】
本発明のシステムは、第１または第２集積回路（ＩＣ）を制御するために第２集積回路（ＩＣ）に結合されたポータブル装置コントローラを更に含む。 
【００１５】
本発明のシステムは、第１及び第２集積回路（ＩＣ）にそれぞれ接続するための導電性ワイヤを更に含む。
【００１６】
また、ポータブル装置のためのデュアル汎用集積回路カード（ＵＩＣＣ）システムは、第１の多数の入出力ターミナルを持つ第１集積回路（ＩＣ）を含むスレーブ集積回路（ＩＣ）カードを含む。基板はスレーブ集積回路（ＩＣ）カードに接続されたマスター集積回路（ＩＣ）カードを支えるためのものである。マスター集積回路（ＩＣ）カードは多数の入出力接点及び第２集積回路（ＩＣ）を含む。
【００１７】
第２集積回路（ＩＣ）は第２の多数の入出力ターミナルを含む。多数の入出力接点は第１及び第２の多数の入出力ターミナルのそれぞれに結合される。アンテナは情報を伝送するために第２集積回路（ＩＣ）に結合される。
【００１８】
スレーブ集積回路（ＩＣ）カードは、第２集積回路（ＩＣ）を収容するためのオープニングを含む。第１集積回路（ＩＣ）は、ＳＩＭ（加入者識別モジュール）である。第２集積回路（ＩＣ）は、制御集積回路（ＩＣ）、ＳＩＭ（加入者識別モジュール）またはメモリである。メモリはＥＥＰＲＯＭである。
【００１９】
本発明のシステムは、第１または第２集積回路（ＩＣ）を制御するために第２集積回路（ＩＣ）に結合されたポータブル装置コントローラを更に含む。
【００２０】
本発明のシステムは、それぞれ第１及び第２の多数の入出力ターミナルに接続された導電性ワイヤを更に含む。
【００２１】
第２の多数の入出力ターミナルは、移動式電話サービス・システムと前記のマスター集積回路（ＩＣ）カードとの間の通信のために使用される。第２の多数の入出力ターミナルは、コンタクトレス・トランザクション・サービス・システムと前記のマスター集積回路（ＩＣ）カードとの間の通信のために使用される。
【００２２】
本技術分野から知られるように、コンタクトレス・トランザクション・カードはカードに内蔵した集積回路とアンテナを含む。一般にアンテナは、パターン構成でループされるとか、ワインディングされる。コンタクトレス・トランザクション・カードで、または、これからの情報の読取りは、アンテナによって伝送されるＲＦ信号により達成される。現在、コンタクトレス・トランザクション・カードは、クレジットカードサイズの形態で提供され、人のポケットで 所持される。必要なことは、容易で、便利に移動式電話に格納される大きさのコンタクトレス・トランザクション・カードを提供することである。
【発明の効果】
【００２３】
本発明によるSIMは、アンテナと結合することができて、コンタクトレス・トランザクション機能を遂行することができる。また、これによってコンタクトレス・トランザクション機能を持つデュアル汎用ICカード(UICC)は、小型で、容易に且つ好都合に移動式電話に保存することができる。
【００２４】
本発明の集積回路(IC)カードの中の一つは、他の一つのカードに具備されたオープニングに収容され、本発明はデュアルSIM機能を有する。
【００２５】
更に本発明は、STK(SIM Tool Kit)を使用することによって、モバイル・バンキング、モバイル株式取り引き等が可能であり、拡張メモリーを具備することによってSIMアプリケーションに適用することができる。
【００２６】
また、本発明によるコンタクトレス・トランザクション機能を持つデュアル汎用ICカード(UICC)システムは、NFC( Near Field Communication)サービスをすることがができる。
【発明を実施するための最良の形態】
【００２７】
図１は、本発明によるポータブル装置のためのデュアルＵＩＣＣシステムを示す。ポータブル装置は、セルラー・ホンまたは個人用携帯情報端末を含む。デュアルＵＩＣＣシステムは、スレーブ集積回路（ＩＣ）カード１００及びマスター集積回路（ＩＣ）カード１０１を含む。両ＩＣカードはＳＩＭソケットに挿入することができる。
【００２８】
マスター集積回路（ＩＣ）カード１０１は、アンテナ１０５と移動式電話コントローラ１０６に結合される。スレーブＩＣカード１００は、カード１００の１つの表面上に装着された集積回路チップ１０２を含む。例えば、集積回路チップ１０２は、ＳＩＭ、ＵＳＩＭ、ＵＩＭまたはＲＵＩＭなどを含む。マスター集積回路（ＩＣ）カード１０１は、接点インターフェース１０３とチップまたはメモリ１０４を含む。チップ１０４はフリップチップが望ましい。接点インターフェース１０３は、集積回路チップ１０２とフリップチップ１０４に結合されることもできる。
【００２９】
フリップチップ１０４は、積層回路ボード（ＬＣＢ）の内に内蔵されることもできる。一実施形態において、フリップチップ１０４は、接点インターフェース１０３を介してスレーブ集積回路（ＩＣ）カード１００の集積回路チップ１０２を制御するためにコントローラ集積回路（ＩＣ）として作動することもできる。
【００３０】
すなわち、オリジナル（Ｕ）ＳＩＭ１０２はフリップチップ１０４のスレーブとしての役割を果たす。そして、フリップチップ１０４は、デュアルＵＩＣＣシステムが、先進の電話帳、ＳＭＳなどのように、ＳＩＭ アプリケーションのためのメモリ拡張機能を持つように、データを格納するためのＥＥＰＲＯＭのようなメモリであることができる。その上、フリップチップ１０４は、ＳＩＭ、ＵＳＩＭ、ＵＩＭまたはＲＵＩＭなどであることもでき、したがって、デュアルＵＩＣＣシステムは、移動式電話が２台の違うとか等しい通信システムから信号などを受信するのを許容するためにダブルＳＩＭ機能に加工することもできる。
【００３１】
外部のアンテナ１０５は、近いフィールドコミュニケーション（コンタクトレス・アプリケーション）のために、ＬＣＢのフリップチップ１０４に接続されることもできる。フリップチップ１０４を持つＬＣＢは、オリジナル（Ｕ）ＳＩＭ１０２の接触表面と接触し、移動式電話のようなポータブル装置ターミナルと直接相互作用する。すなわち、フリップチップ１０４を持つＬＣＢは、フリップチップ１０４から移動式電話ターミナルまで直接接触回路を形成する。さらに、移動式電話コントローラ１０６は、ある機能を直接実行するためにフリップチップ１０４を制御することもできる。
【００３２】
フリップチップ１０４に存在するアプリケーションによって、フリップチップ１０４は実際に移動式電話ターミナルとオリジナル（Ｕ）ＳＩＭ１０２との間の特定の通信信号をインタセプトし、オリジナル（Ｕ）ＳＩＭ１０２から移動式電話ターミナルまで応答信号を再構成して、追加加入、ポスト・イシューされたSTK （SIM Tool Kit）アプリケーション、すなわち移動式の銀行業務、移動式の株式取り引きなどのようなアド-オン（add-on）アプリケーションを遂行する。フリップチップ１０４は、オリジナル（Ｕ）ＳＩＭ２０１のＳＴＫ（SIM
Tool Kit）のメニューがあるなら、アドーオン（add-on）アプリケーションを含むフリップチップのSIMを有するオリジナル（Ｕ）ＳＩＭ１０２のSTK（SIM Tool Kit）メニューを統合する。
【００３３】
図２は、本発明に係るスレーブＩＣカードを示す。スレーブＩＣカード２００は、カード２００の一表面の上に装着されるとか、その内部に内蔵された集積回路チップ２０１を含み、適切な方向にカード２００を挿入するように使用者を案内するために切断したコーナー２０５を含む。本技術分野で知られているように、切断したコーナー２０５はＳＩＭカード２００キャリアまたはホルダーの内に正確に挿入するためのものである。例えば、集積回路チップ２０１は、ＳＩＭ、ＵＳＩＭ、ＵＩＭまたはＲＵＩＭなどを含む。
集積回路チップ２０１は本技術分野で良く知られており、したがって詳細な記述は省略される。
【００３４】
ＳＩＭ２０１のための基板材料は、クレジットカードまたはトランザクション・カードで使われるものと類似なプラスチック材料で作ることができる。好ましくは、一例として、ＳＩＭカード２００の材料、形態及び寸法は、標準ＳＩＭカードに適している。ＳＩＭ２０１が電子装置の接触ピンに物理的に接触する時、スレーブＩＣカード２００に格納された情報にアクセスすることができる。スレーブＩＣカード２００は、ＳＩＭ、ＵＳＩＭ、ＵＩＭまたはＲＵＩＭカードなどを含む。典型的なＳＩＭカード２００は、伝導性ワイヤ２０３を介してポータブル装置のコネクターの６個のピンに接触するために、６台のターミナル２０２を使用する。
【００３５】
ＳＩＭカード２００は、他の集積回路（ＩＣ）チップを収容するためのオープニング２０４を含むことができる。
【００３６】
図示されたように、図３は、本発明に係るマスターＩＣカードを示す。マスターＩＣカード３００はカード３００の一表面の上に装着されるとか、その内部に内蔵したフリップチップ３０１、多数の入出力接点304及び適切な方向でカード３００を挿入するように使用者を案内するために切断したコーナー３０６を含む。 フリップチップ１０４は、積層回路ボード（ＬＣＢ）の内に内蔵されることができる。 フリップチップ３０１は、セルラー・ホンのようなポータブル通信装置のリード線に接続するための多数のターミナル３０２を含む。
【００３７】
さらに、プラグ・インＳＩＭ２０１上のニッチ（niche）は、フリップチップ３０１に適合させるように開発することもできる。オリジナル（Ｕ）ＳＩＭ２０１の入出力の接触ピンは、ＬＣＢによってフリップチップ３０１にリダイレクトすることもできる。パワー接触ピンは、また、進歩した電源管理（APM）のためにフリップチップ３０１にリダイレクトすることもできる。
【００３８】
本発明の特徴は、フリップチップ３０１が導電性ワイヤ２０３、３０３、３０５を介して、入出力接点304を通じて集積回路チップ２０１に結合されるということである。一実施形態において、フリップチップ３０１は入出力接点304を通じてスレーブ集積回路（ＩＣ）カード２００の集積回路チップ２０１を制御するためのコントローラ集積回路（ＩＣ）として動作することもできる。入出力接点304の数は制限されない。例えば、入出力接点304の数は６個（１、２、３、４、５、６）であるが、これらはそれぞれＶｃｃ、ＧＮＤ、ＲＳＴ、ＶＰＰ、Ｉ／Ｏ及びＣＬＫに接触する。すなわち、オリジナル（Ｕ）ＳＩＭ２０１は、フリップチップ３０１のスレーブの役割をする。そして、フリップチップ３０１は、デュアルＵＩＣＣシステムが先進の電話帳、ＳＭＳなどのように、ＳＩＭアプリケーションのためのメモリ拡張機能を持つように、データを格納するための ＥＥＰＲＯＭのようなメモリであることができる。
【００３９】
さらに、フリップチップ３０１は、ＳＩＭ、ＵＳＩＭ、ＵＩＭまたはＲＵＩＭなどであることもでき、したがって、デュアルＵＩＣＣシステムはダブルＳＩＭ機能に加工することもできる。ＳＩＭカード２００、３００は、使用者が個々のアカウント、または特別な無線電話網へのアクセスを可能にするために、通信装置などにもっとも一般的に使われる。各カードは指定されたネットワークのための構成情報を含み、それに使用者の移動式電話番号及び関連するアカウント情報のような、使用者の識別を確認する情報を含む。
【００４０】
ポータブル通信装置のＲＦモジュールを使用して大気を通じて電磁気信号などの伝送または受信を経て、装置のプロセッサーと通信するためのフリップチップ３０１の能力により、サービス供給者はカード３００の内の使用者コードまたは装置コードを識別することもできる。このような方式で、サービス供給者はカード３００の通信パラメータなどを決めることができる。フリップチップ３０１は、装置を通じて電気信号の形態で情報を伝送及び受信する。
【００４１】
さらに、外部のアンテナ３０７は、近いフィールドコミュニケーション（コンタクトレス・アプリケーション）に対するＬＣＢのフリップチップ３０１と接続されることもできる。フリップチップ３０１を持つＬＣＢは、オリジナル（Ｕ）ＳＩＭ２０１のターミナル２０２と接触し、移動式電話のようなポータブル装置ターミナルと直接相互作用する。すなわち、フリップチップ３０１を持つＬＣＢは、移動式電話ターミナルを持つ直接の接触回路を形成する。
【００４２】
フリップチップ３０１の制御、格納またはＳＩＭのような機能に基づいて、マスターＩＣカード３００はスレーブＩＣカード２００の機能を制御することができる。さらに、移動式電話コントローラ３０８は、ある機能を行うために直接フリップチップ３０１を制御することができる。
【００４３】
フリップチップ３０１の内に存在するアプリケーションによって、フリップチップ３０１は実際に移動式電話ターミナルとオリジナル（Ｕ）ＳＩＭ２０１との間の特定の通信信号をインタセプトし、オリジナル（Ｕ）ＳＩＭ１０２から移動式電話ターミナルまで応答信号を再構成して、追加加入、ポスト・イシューされたＳＴＫ（SIM Tool Kit）アプリケーション、すなわち移動式の銀行業務、移動式の株式取り引きなどのようなアドーオン（add-on）アプリケーションを遂行する。フリップチップ３０１は 、オリジナル（Ｕ）ＳＩＭ２０１のＳＴＫ（SIM Tool Kit）のメニューがあるなら、アドーオン（add-on）アプリケーションを含むフリップチップのSIMを有するオリジナル（Ｕ）ＳＩＭ２０１のＳＴＫ（SIM
Tool Kit）のメニューを統合する。
【００４４】
電磁気信号がフリップチップ３０１に、及びこれから伝送できるように、フリップチップ３０１はアンテナ３０７と接続される。マスター ＩＣカード３００は、アンテナ３０７を使って大気を通じ、電磁気信号の伝送または受信を通じてリーダー（reader）またはライター（writer）と通信する。アンテナ３０７が、ポータブル通信装置のアンテナと違う点に留意すべきである。それはコンタクトレスまたは近いフィールドコミュニケーション（Near Field Communication; NFC）のための低電力伝送アンテナである。すなわち、アンテナはＵＩＣＣ標準または近いフィールドコミュニケーション（ＮＦＣ）標準に適合する。より速いトランザクション時間と使用便利性のように、コンタクトレス・トランザクションは接触型カードなどに比べて利点を提供する。
【００４５】
アンテナ３０７は、フリップチップ３０１から拡張される。アンテナ３０７はワイヤを介する導電性トレース３０９の結合によって、またはカードの下部平面内に一つのパターンでループされるとか、ワインディングされることによってカードに統合される。アンテナ３０７のワイヤは従来の方式によって導電性トレース３０９に接続することもできる。代案として、それはセル電話基板若しくは本体の上に形成することができる。
【００４６】
マスターＩＣカード３００を介するコンタクトレス・トランザクションのための情報の伝達または読取は、フリップチップ３０１から拡張されるアンテナ３０７を介してＲＦ信号を伝送することによりなされる。使用者はコンタクトレス・トランザクションの機能を持つマスターＩＣカード３００を範囲内でカードリーダーに近寄るように簡単に移動させ、リーダーはアンテナ３０７を介してＩＣの内に含まれた識別資料を読取ることができるようになる。
【００４７】
コンタクトレス・トランザクションが運送システムで使われる際、カードの内に装着されたＩＣは、使用者のアカウント情報、またはビリング情報を含む。 動作下で、使用者は使用者のアカウントにアクセスまたは更新することができる。
マスターＩＣカード３００とスレーブＩＣカード２００は、本技術分野で知られているように、ポータブル装置のホルダーから分離可能にすることができる。マスターＩＣカード３００とスレーブＩＣカード２００は、プラスチック材料で形成することもできる。
カードホルダーは、マスターＩＣカード３００及びスレーブＩＣカード２００のサイズ及び形態に実質的に対応するサイズ及び形態であることができる。
【００４８】
アンテナはまたセルラーの基板の上に、または、その内部に形成することもできる。例えば、アンテナはプリンティングによって被着されることができるフィラメントまたはワイヤとして提供することができる。
【００４９】
上述したターミナル３０２は、移動式電話サービス・システムまたはコンタクトレス・トランザクションとマスター集積回路（ＩＣ）カード３００との間の通信のために使用することができる。
【００５０】
本技術分野に熟練した者たちによってよく理解されるように、本発明の前記の好ましい実施形態は、本発明を制限するのでなく、本発明の例示である。
【００５１】
好ましい実施形態と関連して本発明を記述すれば、変形が本技術分野の熟練者たちに提案されるだろう。従って、本発明はこの実施形態に限られるのでなく、請求範囲の精神及び範囲内に含まれた多様な変形及び類似の配置をカバーするようになっており、その範囲はそのようなすべての変形及び類似の構造を満足するように最も広い解釈に従うようになる。本発明の好ましい実施形態が図示されて記述される一方、種々なる変形などが本発明の精神と範囲から外れない限度でなされることが理解される。
【図面の簡単な説明】
【００５２】
【図１】本発明に係るデュアルＵＩＣＣシステムを示す図である。
【図２】本発明に係るスレーブＵＩＣＣを示す図である。
【図３】本発明に係るマスターＵＩＣＣを示す図である。
【符号の説明】
【００５３】
１０２    ＳＩＭ
１０３    接点インターフェース
１０４    チップ
１０５    アンテナ
１０６    移動式電話コントローラ
【図１】
2006217586.tif 000003
【図２】
2006217586.tif 000004
【図３】
2006217586.tif 000005